(57)【特許請求の範囲】
【請求項１】
通路断面形状が四角な通風路（２）を有する角筒状のケーシング（１）と、この通風路（２）内に回転自在に横架した羽根軸（１０）に中央部が固定されて、その通風路（２）を開閉し得る四角形状の可動羽根（１３）と、前記可動羽根（１３）の閉成時に、前記通風路（２）内を気密にシールするシール手段（Ｓ）を備えた高気密ダンパーであって、
前記シール手段（Ｓ）は、可動羽根（１３）の外周縁に、その全周を縁取りするように取り付けられるガスケット（１７）を備え、このガスケット（１７）のシール部（１７ｂ）の自由端にはリップ片（１７ｃ）が一体に形成され、このリップ片（１７ｃ）の４つの角部に、つの状部（１７ｄ）が外方に向かって一体に張り出しており、
一方、前記ケーシング（１）内には、前記可動羽根（１３）を軸支した四角な取付リブ（８）が一体に設けれ、この取付リブ（８）の上下内面には、可動羽根（１３）の閉じ方向に向かって上り勾配に傾斜するリップ圧接面（８ｂ）が形成されると共にその左右内面には、互いに平行なリップ摺接面（８ａ）が形成され、
前記可動羽根（１３）の全閉時に、前記リップ片（１７ｃ）の上下辺はリップ圧接面（８ｂ）に圧接されると共にその左右辺はリップ摺接面（８ａ）に密接され、さらにその４つのつの状部（１７ｄ）は取付リブ（８）の四隅にそれぞれ密着されることを特徴とする、高気密ダンパー。
【請求項２】
前記ガスケット（１７）は、シリコンコーティングされたエチレンスポンジよりなり、可動羽根（１３）に取り付けられる基端部（１７ａ）と、その基端部（１７ａ）に一体に形成される断面矢印形状のシール部（１７ｂ）とよりなり、前記シール部（１７ｂ）の先端に断面三角状のリップ片（１７ｃ）が一体に形成されていることを特徴とする、前記請求項１記載の、高気密ダンパー。
【請求項３】
前記可動羽根（１３）は、２枚の羽根板（１３ａ，１３ｂ）を内部に空隙（ｃ）を存して一体に結合して密閉中空状に形成されていることを特徴とする、前記請求項１または２記載の高気密ダンパー。
【請求項４】
前記可動羽根（１３）は、少なくとも前記通風路（２）を流れる空気流の上流側に対面する上流面に、結露防止材（３０）が設けられることを特徴とする、前記請求項１，２または３記載の高気密ダンパー。
【発明の詳細な説明】
【技術分野】
【０００１】
本発明は、建築物の通気ダクトに設けられる高気密ダンパーに関する。
【背景技術】
【０００２】
たとえば、病院や研究室などのクリーンルームをクリーンに保持すべく、そのクリーンルームと外部との連通を気密に隔離したり、動物実験室内を燻蒸した後のホルマリンなどの有毒ガスが拡散するのを防止すべく、その動物実験室と外部との連通を気密に隔離するする目的で、そのクリーンルームや動物実験室と、外部とを連通する通気ダクトに、高気密ダンパーが用いられる。
【０００３】
従来、クリーンルームと外部とを仕切るダンパーとして、後記特許文献１に開示されるものが知られている。
【先行技術文献】
【特許文献】
【０００４】
【特許文献１】実開平６−２２８４９号公報
【発明の概要】
【発明が解決しようとする課題】
【０００５】
ところで、前記特許文献１に開示のダンパーは、通気ダクトに連通する開口部内にフレームを設け、このフレームに通気孔を開口し、この通気孔を開閉する開閉板の一端をフレームに支持軸をもって回動自在に支持し、この開閉板のフラップ部（先端部）を、フレームの通気孔に着座させて、その通気孔を遮蔽するようにされている。
【０００６】
ところで、かかる従来のダンパーでは、
(1) 通気ダクトに連通する開口部内に、開閉板を支持するためのフレームが設けられるので、このフレームによって通気ダクトの有効通気断面積が縮小されて、通気風量が減少する。
【０００７】
(2) 開閉板は、その一端がフレームに支持されているため、開閉板の開閉トルクが大きくなる。
【０００８】
(3) 開閉板と通気孔との間のシールが十分でないため、気密性能に劣り、圧力損失が大きい。
【０００９】
(4) 通風方向の風が開閉板を閉止するように付勢して気密度を高めているため、通風方向が一方向に制限されてしまう。
などの問題がある。
【００１０】
本発明はかかる実情に鑑みてなされたもので、通気ダクトの有効通気断面積の減少を抑えて所望の通気風量を確保すると共に可動羽根と通気孔間のシール機能を高めて密閉性能と圧力損失性能を向上でき、さらに、通風方向に可逆性をもたせた、新規な高気密ダンパーを提供することを目的とする。
【課題を解決するための手段】
【００１１】
前記目的を達成するために、請求項１記載の発明は、通路断面形状が四角な通風路を有する角筒状のケーシングと、この通風路内に回転自在に横架した羽根軸に中央部が固定されて、その通風路を開閉し得る四角形状の可動羽根と、前記可動羽根の閉成時に、前記通風路内を気密にシールするシール手段を備えた高気密ダンパーであって、
前記シール手段は、可動羽根の外周縁に、その全周を縁取りするように取り付けられるガスケットを備え、このガスケットのシール部の自由端にはリップ片が一体に形成され、このリップ片の４つの角部に、つの状部が外方に向かって一体に張り出しており、
一方、前記ケーシング内には、前記可動羽根を軸支した四角な取付リブが一体に設けれ、この取付リブの上下内面には、可動羽根の閉じ方向に向かって上り勾配に傾斜するリップ圧接面が形成されると共にその左右内面には、互いに平行なリップ摺接面が形成され、  前記可動羽根の全閉時に、前記リップ片の上下辺はリップ圧接面に圧接されると共にその左右辺はリップ摺接面に密接され、さらにその４つのつの状部は取付リブの四隅にそれぞれ密着されることを特徴としている。
【００１２】
また、前記目的を達成するために、請求項２記載の発明は、前記請求項１記載のものにおいて、前記ガスケットは、シリコンコーティングされたエチレンスポンジよりなり、可動羽根に取り付けられる基端部と、その基端部に一体に形成される断面矢印形状のシール部とよりなり、前記シール部の先端に断面三角状のリップ片が一体に形成されていることを特徴としている。
【００１３】
また、前記目的を達成するために、請求項３記載の発明は、前記請求項１または２記載のものにおいて、前記可動羽根は、２枚の羽根板を内部に空隙を存して一体に結合して密閉中空状に形成されていることを特徴としている。
【００１４】
さらに、前記目的達成のため、請求項４記載の発明は、前記請求項１、２または３記載のものにおいて、前記可動羽根は、少なくとも前記通風路を流れる空気流の上流側に対面する上流面に、結露防止材が設けられることを特徴としている。
【発明の効果】
【００１５】
請求項各項記載の発明によれば、通気ダクトに設けられる高気密ダンパーにおいて、ケーシング内の通風路を開閉する可動羽根に設けられるシール手段により、高い密閉性能と圧力損失性能を確保することができ、また、通気ダクトの有効通気断面積が絞られないようにして通気風量の低減を抑えることができる。さらに、前記通風路を流れる空気流が一方向および他方向のいずれの場合にも適用可能であって、すなわち可逆性ダンパーとす利用が可能である。
【００１６】
また、請求項２記載の発明によれば、シール手段を構成するガスケットは、シリコンコーティングされたエチレンスポンジにより構成され、シール部の先端にリップ片が形成されるので、可動羽根が長時間全閉状態のままになっても、これが通風路にくっついたままになることがなく、また繰り返し圧接する部分がリップ片であるので、繰り返し動作に対する耐久性が高められる。
【００１７】
さらに、請求項３記載の発明によれば、可動羽根は密閉中空状に形成されるので、軽量であり、円滑な開閉が保障されると共にその開閉トルクが低減される。
【００１８】
さらに、請求項４記載の発明によれば、可動羽根の結露を防止することができる。
【図面の簡単な説明】
【００１９】
【図１】高気密ダンパーの全開状態の斜視図
【図２】図１の２−２線に沿う断面図
【図３】図２の３−３線に沿う断面図
【図４】図３の４−４線に沿う部分図
【図５】高気密ダンパーの全閉状態の図２と同じ断面図
【図６】図５の６−６線に沿う断面図
【図７】本発明の第２実施例にかかる図５と同じ断面図
【発明を実施するための形態】
【００２０】
本発明の実施の形態を、添付図面に例示した本発明の実施例に基づいて以下に具体的に説明する。
【００２１】
まず、図１〜６を参照して本発明の第１実施例について説明する。
【００２２】
本発明にかかる高気密ダンパーＤＡは、建築物に形成される通気ダクトＤＵに接続されて、該通気ダクトＤＵを流れる空気流を気密に遮蔽するのに用いられる。
【００２３】
図１〜３に示すように、高気密ダンパーＤＡのケーシング１は角筒状に構成され、その内部には、断面四角形状に通風路２が形成される。また、ケーシング１の前面および後面には、流入口３および流出口４が開口される。ケーシング１の前面および後面の周囲には、複数の取付孔７をそれぞれ穿設した、前、後取付フランジ５，６が一体に張り出しており、これらの取付フランジ５，６は、通気ダクトＤＵの接続フランジｆに一体に接続され、ケーシング１内の通風路２は通気ダクトＤＵに連通される。
【００２４】
ケーシング１内面の前後方向の中間部には、四角な枠状の取付リブ８が一体に設けられる。この取付リブ８の左右の内面は、図１，３に示すように、互いに平行でその上下方向の全長にわたり平坦なリップ摺接面８ａ，８ａに形成されており、それらの内面に後述するガスケット１７のリップ片１７ｃが気密に摺接するようにされている。また、取付リブ８の上下の内面は、図１，２に示すように、可動羽根１３の閉じ方向の前方に向かって上り勾配に傾斜する傾斜面よりなるリップ圧接面８ｂ，８ｂが形成されており、可動羽根１３が閉じたとき（図５参照）ガスケット１７のリップ片１７ｃが密に圧接するようにされている。
【００２５】
取付リブ８の左右辺の上下中間部には、ケーシング１内を水平方向に配置される羽根軸１０が軸受１１，１２を介して回転自在に支承されており、この羽根軸１には、可動羽根１３の中間部がネジ１６をもって固定される。
【００２６】
可動羽根１３は、溶融亜鉛メッキ鋼板よりなる四角な２枚の羽根板１３ａ，１３ｂを空隙ｃを存して対向させ、一方の羽根板１３ｂに固定した複数の連結ボルト１４を、他方のに羽根板１３ａに貫通させて、それらの連結ボルト１４にナット１５を螺締させることにより、２枚の羽根板１３ａ，１３ｂを空隙ｃを存して一体に固定して構成されている。図２に示すように、２枚の羽根板１３ａ，１３ｂの中間部は、羽根軸１０を上下より挟持するように断面円弧状に形成されて、複数のネジ１６で羽根軸１０に固定されている。そして、可動羽根１３は、内部に空隙ｃが形成されることにより軽量に形成される。
【００２７】
可動羽根１３の外周縁には、その全閉時に、通風路２を遮蔽するシール手段Ｓが設けられる。このシール手段Ｓは、可動羽根１３の全周を縁取りするように固定される可撓性と弾性を有するガスケット１７よりなり、このガスケット１７は、シリコンコーティングされたエチレンスポンジにより構成されて四角な枠状に形成されており、断面偏平な基端部１７ａと、その外周に一体に形成される断面矢印状のシール部１７ｂよりなり、その基端部１７ａが、可動羽根１３の２枚の羽根板１３ａ，１３ｂの先端間に挟持固定され、そのシール部１７ｂの自由端には、断面三角状にリップ片１７ｃが一体に形成されている。図３に示すように、四角なガスケット１７のリップ部１７ｃの４つの角部には、他の部分よりも長い、つの状部１７ｄ…が外方に向けて一体に張り出しており、これらのつの状部１７ｄ…は、可動羽根１３の閉成時に、前記取付リブ８の４つの隅部に気密に密着してそれらの隅部からの通風の漏れがないようにしている。
【００２８】
取付リブ８の下部一側には、可動羽根１３を閉じ位置に係止するストッパ１９が設けられる。このストッパ１９は、取付リブ８に固定した取付片２０に進退可能に螺挿したボルトよりなり、可動羽根１３の全閉位置の調整が可能である。
【００２９】
ケーシング１の一側外面には、可動羽根１３を開閉調整して、通風路２を流れる空気流の風量を調整する風量調整装置２２が設けられる。この風量調整装置２２は、ケーシング１の一側外面に固定されるハウジング２３を備え、このハウジング２３には、前記羽根軸１０の一端が貫通されると共にこの羽根軸１０を回転駆動するモータ２４が設けられる。      
【００３０】
また、図４に示すように、ハウジング２３には、可動羽根１３の開度を表す表示部２５が設けられる。この表示部２５の指針２５ａにより、可動羽根１３の全閉、全開およびそれら間の開度位置が表示される。
【００３１】
つぎに、図１〜６に示される第１実施例の作用について説明する。
【００３２】
図１〜３に示すように、高気密ダンパーＤＡの可動羽根１３が全開位置にあるときは、その羽根軸１０は通風路２の上下面と略平行であって、通気ダクトＤＵを流れる空気流は矢印ａに示すように、ケーシング１内の通風路２を、その上流側から下流側へと流れる。このとき、前記通風路２の通路断面積は絞られることが殆どなく、また、可動羽根１３の外周縁に設けられるガスケット１７のシール部１７ｂは、断面矢印形状に形成されることにより、通風路２を流れる空気流を上下に分流して抵抗少なく円滑に流通させることができ、空気流の通風抵抗を少なくすることができる。
【００３３】
また、モータ２４の回転制御により、可動羽根１３は、中央の羽根軸１０と共に回転して通風路２の開度を調整し、これが中空であることと相俟って前記公知のものに比べて回転トルクの低減が図れる。
【００３４】
さらに、図５に示すように、モータ２４の回転制御により可動羽根１３が、その全開状態から略９０°回転してストッパ１９に衝合すれば全閉状態とすることができる。
【００３５】
しかして、可動羽根１３の全閉状態では、図６に示すように、ガスケット１７のリップ片１７ｃの左右辺は、取付リブ８の左右の平坦なリップ摺接面８ａ，８ａに気密に摺接し、また、リップ片１７ｃの上下辺は、図５に示すように、ケーシング１の取付リブ８の傾斜面よりなる上下のリップ圧接面８ｂ，８ｂに密に圧接し、さらに、図６に示すように、ガスケット１７の四隅のつの状部１７ｄ…が、撓曲してケーシング１の取付リブ８の四隅に隙間なく気密に密着する。このとき、図５に示すように、ガスケット１７のリップ片１７ｃのみが撓曲して、リップ摺接面８ａ，８ａに摺接すると共にリップ圧接面８ｂ，８ｂに気密に密着するので、ガスケット１７全体が撓曲する場合に比べて、閉鎖時のトルクを低減することができ、しかもガスケット１７の耐久性が高められる。
【００３６】
したがって、可動羽根１３の全閉状態では、ケーシング１の通風路２は、可動羽根１３のガスケッ１７により、気密に的確に遮断されて通気の流れを確実を阻止することができ、また閉鎖トルクを低減することができる。さらに、ガスケット１７は、シリコンコーティングされたエチレンゴムにより形成され、しかもリップ片ｃのみが撓曲するので、可動羽根１３が長時間全閉状態のままになっても、取付リブ８から離れにくくなることがない。
【００３７】
また、取付リブ８の上下のリップ圧接面は、上下方向の傾斜面よりなるので、そこに付着した雨などの水分が滞留することがない。
【００３８】
さらに、この高気密ダンパーは、通気ダクトＤＵを流れる空気流が、通風路２を逆向き、すなわち下流側から上流側へと流れる（図５矢印ａ方向と逆方向）場合にも対応することができ、したがって可逆性ダンパーとして使用が可能である。
【００３９】
つぎに、図７を参照して、本発明の第２実施例について説明する。
【００４０】
この第２実施例は、可動羽根１３に結露防止手段を施した場合であって、具体的には、可動羽根１３には、通風路２を流れる空気流の上流側に対面する上流面に、結露防止用の植毛３０が施される。
【００４１】
これにより、通風路２に流入する空気流の温度がその下流側の空気流の温度よりも低い場合にも可動羽根１３が結露することがない。
【００４２】
なお、この第２実施例において、可動羽根１３の上流面および下流面のいずれにも結露防止用の植毛３０を施してもよい。
【００４３】
以上、本発明の実施例について説明したが、本発明はその実施例に限定されることなく、本発明の範囲内で種々の実施例が可能である。
【００４４】
たとえば、前記実施例では、ケーシング１内に一つの可動羽根１３が開閉可能に設けられるが、ケーシング１内には、複数の可動羽根１３を開閉可能に並設してもよく、この場合、それらの可動羽根１３は、単一のモータ２４により同調して開閉することが可能である。また、前記実施例では、可動羽根１３をモータ２４により開閉するようにしているが、この可動羽根１３は手動により開閉するようにしてもよい。
【符号の説明】
【００４５】
１・・・・・・・・ケーシング
２・・・・・・・・通風路
８・・・・・・・・取付リブ
８ａ・・・・・・・リップ摺接面
８ｂ・・・・・・・リップ圧接面
１０・・・・・・・・羽根軸
１３・・・・・・・・可動羽根
１３ａ，１３ｂ・・・羽根板
１７ａ・・・・・・・基端部
１７ｂ・・・・・・・シール部
１７ｃ・・・・・・・リップ部
１７ｄ・・・・・・・つの部
３０・・・・・・・・結露防止部材（植毛）
Ｓ・・・・・・・・・シール手段
ｃ・・・・・・・・・空隙
【図１】
0005394274.tif 000002
【図２】
0005394274.tif 000003
【図３】
0005394274.tif 000004
【図４】
0005394274.tif 000005
【図５】
0005394274.tif 000006
【図６】
0005394274.tif 000007
【図７】
0005394274.tif 000008